(57)【要約】【課題】ペン先没入時のペン先からのインキ蒸発やインキ漏出を確実に防止でき、また、ペン先没入状態で長期間保管しても、通気路からインキタンク４１内のインキが蒸発することを防止し、さらに、ペン先没入状態でインキタンク４１内の圧力が上昇しても、通気路を通って外部にインキが漏出することを防止できる出没式筆記具を提供する。【解決手段】筆記体３が、ペン先５と、インキを直に貯溜するインキタンク４１と、インキ保溜部材６と、インキタンク４１内と外気とを連通する通気路７とを備える。ペン先５が、前端に回転可能にボールを抱持したボールペンチップである。軸筒２内部の前端孔２１近傍に弾性材料からなるペン先シール部材８を設ける。ペン先没入時にペン先シール部材８にペン先５の前端を密接させることによりペン先５の前端を密閉する。ペン先突出時にペン先シール部材８とペン先５の前端との密接を解除する。【選択図】  図１
2008006662.tif 000002
【特許請求の範囲】
【請求項１】
筆記体が、ペン先と、インキを直に貯溜するインキタンクと、ペン先とインキタンクとの間に配置され且つインキタンクの内圧上昇に伴う溢出インキを一時的に保持するインキ保溜部材と、インキタンク内と外気とを連通する通気路とを備え、前記筆記体を軸筒内部に前後方向に移動可能に収容し、前記筆記体のペン先を軸筒の前端孔から出没可能に構成した出没式筆記具であって、前記ペン先が、前端に回転可能にボールを抱持したボールペンチップであり、軸筒内部の前端孔近傍に弾性材料からなるペン先シール部材を設け、ペン先没入時に前記ペン先シール部材にペン先の前端を密接させることによりペン先の前端を密閉し、ペン先突出時に前記ペン先シール部材と前記ペン先の前端との密接を解除することを特徴とする出没式筆記具。
【請求項２】
筆記体のペン先近傍の外面に通気路の開口部を設け、ペン先没入時に前記ペン先シール部材が前記通気路の開口部を密閉し、ペン先突出時に前記ペン先シール部材が前記通気路の開口部を開放してなる請求項１記載の出没式筆記具。
【請求項３】
筆記体の外面に通気路の開口部を設け、軸筒内部に弾性材料からなるシール体を固定し、ペン先没入時に前記シール体が前記通気路の開口部を密閉し、ペン先突出時に前記シール体が前記通気路の開口部を開放してなる請求項１記載の出没式筆記具。
【発明の詳細な説明】
【技術分野】
【０００１】
本発明は、出没式筆記具に関する。詳細には、インキを直に貯溜する直液式の筆記体を軸筒内部に前後方向に移動可能に収容した出没式筆記具に関する。
【背景技術】
【０００２】
従来この種の出没式筆記具において、特許文献１には、チップ内孔にインキ誘導芯が密装され、チップ後方に直列状に継ぎ手、インキ保溜体が一体的に設けられて、インキ収容管内に低粘度インキが充填されると共にインキ収容管の前方部内孔にインキ保溜体が嵌着されて成るボールペンのリフィールと、軸筒の後方にノック操作により軸筒に対し前後退位置に係止される回転カム機構部が配設され、その回転カム機構部の前方にリターンスプリングにより後方に附勢された前記ボールペンのリフィールが設けられて成るノック式筆記具が開示されている。
【０００３】
また、前記特許文献１には、先端ボールがチップ先端のボール抱持部の内縁に常時は押圧されて密接し、筆記時に密接状態が解除されるように設けられて、チップ先端がシール不要で軸筒に搭載可能と成されたノック式筆記具が開示されている。
【０００４】
また、前記特許文献１には、鍔部の所要箇所に通気溝を設けて外気とインキ保溜体及びインキ収容管内の空気置換を行なうこと、及び、空気置換のための通気路は細く迂回したものが望ましいことが記載されている。
【０００５】
【特許文献１】特開平１０−２６４５８５号公報
【発明の開示】
【発明が解決しようとする課題】
【０００６】
前記従来の出没式筆記具は、ペン先を密閉する構造が、先端ボールをボール抱持部の内縁に密接する構成であるため、適正にインキを吐出させるには、先端ボールを後方に押圧しなければならない。そして、前記先端ボールとボール抱持部の内縁との確実な密接を得るためには、先端ボールをボール抱持部の内縁に常時押圧する力を強く設定される。そのため、前記従来の出没式筆記具は、筆記時、高い筆記荷重が必要となり、ユーザーに筆記時の疲労感を与えるおそれがある。
【０００７】
また、前記従来の出没式筆記具は、ボールとボール抱持部の内縁との間にゴミ等の異物が混入した場合、ボールとボール抱持部の内縁との密接が不十分となり、ペン先からのインキ蒸発やインキ漏出が発生するおそれがある。
【０００８】
また、前記従来の出没式筆記具は、ペン先没入状態であっても、通気路は外気と連通状態にあるため、長期間保管すると、インキタンク４１内のインキが蒸発して、筆記不能となるおそれがある。また、前記従来の出没式筆記具は、ペン先没入状態でインキタンク４１内の圧力が上昇すると、通気路を通って外部にインキが漏出するおそれがある。
【０００９】
本発明は、前記従来の問題点を解決するものであって、筆記時の疲労感を軽減させることができ且つペン先没入時のペン先からのインキ蒸発やインキ漏出を確実に防止でき、また、ペン先没入状態で長期間保管しても、通気路からインキタンク４１内のインキが蒸発することを防止し、さらに、ペン先没入状態でインキタンク４１内の圧力が上昇しても、通気路を通って外部にインキが漏出することを防止できる出没式筆記具を提供しようとするものである。
【００１０】
尚、本発明で、「前」とはペン先側を指し、「後」とはその反対側を指す。また、本発明で、「ペン先没入」とは、ペン先が軸筒内部に没入することを言い、「ペン先突出」とは、ペン先が軸筒の前端孔から外部に突出することを言う。
【課題を解決するための手段】
【００１１】
（構成１）
本発明は、筆記体３が、ペン先５と、インキを直に貯溜するインキタンク４１と、ペン先５とインキタンク４１との間に配置され且つインキタンク４１の内圧上昇に伴う溢出インキを一時的に保持するインキ保溜部材６と、インキタンク４１内と外気とを連通する通気路７とを備え、前記筆記体３を軸筒２内部に前後方向に移動可能に収容し、前記筆記体３のペン先５を軸筒２の前端孔２１から出没可能に構成した出没式筆記具であって、前記ペン先５が、前端に回転可能にボールを抱持したボールペンチップであり、軸筒２内部の前端孔２１近傍に弾性材料からなるペン先シール部材８を設け、ペン先没入時に前記ペン先シール部材８にペン先５の前端を密接させることによりペン先５の前端を密閉し、ペン先突出時に前記ペン先シール部材８と前記ペン先５の前端との密接を解除すること（構成１）を要件とする。
【００１２】
前記構成１の出没式筆記具１は、ペン先没入時のペン先５の前端を密閉する構造が、ペン先５の前端を弾性材料からなるペン先シール部材８に密接させる構造であり、従来のようなボールをボール抱持部内縁に押圧して密接させる構造でないため、筆記時の疲労感を軽減させることができるとともに、ボール抱持部内縁とボールとの間にゴミ等の異物が混入した場合でも、ペン先没入時のペン先５からのインキ蒸発やインキ漏出を確実に防止できる。
【００１３】
（構成２）
前記構成１の出没式筆記具１において、筆記体３のペン先５近傍の外面に通気路７の開口部７１を設け、ペン先没入時に前記ペン先シール部材８が前記通気路７の開口部７１を密閉し、ペン先突出時に前記ペン先シール部材８が前記通気路７の開口部７１を開放してなること（構成２）が好ましい。
【００１４】
前記構成２の出没式筆記具１は、ペン先没入時に前記ペン先シール部材８が前記通気路７の開口部７１を密閉してなることにより、ペン先没入時のインキタンク４１と外気との連通を遮断し、ペン先没入状態で長期間保管しても、通気路７からインキタンク４１内のインキが蒸発することを防止し、さらに、ペン先没入状態でインキタンク４１内の圧力が上昇しても、通気路７を通って外部にインキが漏出することを防止できる。また、前記構成３の出没式筆記具１は、ペン先シール部材８が、ペン先没入時にペン先５を密閉するとともに通気路７の開口部７１を密閉するため、部品点数の増加を抑えることができる。
【００１５】
（構成３）
前記構成１の出没式筆記具１において、筆記体３の外面に通気路７の開口部７１を設け、軸筒２内部に弾性材料からなるシール体２２を固定し、ペン先没入時に前記シール体２２が前記通気路７の開口部７１を密閉し、ペン先突出時に前記シール体２２が前記通気路７の開口部７１を開放してなること（構成３）が好ましい。
【００１６】
前記構成３の出没式筆記具１は、ペン先没入時に前記シール体２２が前記通気路７の開口部７１を密閉してなることにより、ペン先没入時のインキタンク４１と外気との連通を遮断し、ペン先没入状態で長期間保管しても、通気路７からインキタンク４１内のインキが蒸発することを防止し、さらに、ペン先没入状態でインキタンク４１内の圧力が上昇しても、通気路を通って外部にインキが漏出することを防止できる。
【発明の効果】
【００１７】
構成１によれば、筆記時の疲労感を軽減させることができるとともに、ペン先没入時のペン先からのインキ蒸発やインキ漏出を確実に防止できる。
【００１８】
請求項２によれば、ペン先没入時のインキタンクと外気との連通を遮断し、ペン先没入状態で長期間保管しても、通気路からインキタンク内のインキが蒸発することを防止し、さらに、ペン先没入状態でインキタンク内の圧力が上昇しても、通気路を通って外部にインキが漏出することを防止でき、また、部品点数の増加を抑えることができる。
【００１９】
構成３によれば、ペン先没入時のインキタンクと外気との連通を遮断し、ペン先没入状態で長期間保管しても、通気路からインキタンク内のインキが蒸発することを防止し、さらに、ペン先没入状態でインキタンク内の圧力が上昇しても、通気路を通って外部にインキが漏出することを防止できる。
【発明を実施するための最良の形態】
【００２０】
（第１の実施の形態）
図１及び図２に本発明の第１の実施の形態を示す。
本実施の形態の出没式筆記具１は、軸筒２と、該軸筒２内に前後方向に移動可能に収容される筆記体３とを備える。
【００２１】
・軸筒
前記軸筒２の前端には、前端孔２１が貫設される。前記前端孔２１を通して筆記体３のペン先５が外部に突出可能且つ内部に没入可能に構成される。前記軸筒２の内部には、コイルスプリング１１が収容され、前記コイルスプリング１１により筆記体３が後方に常時付勢される。前記コイルスプリング１１の前端は、軸筒２の内面に形成した前側係止部２３に係止され、一方、コイルスプリング１１の後端は、筆記体３の外面に形成した後側係止部４２に係止される。
【００２２】
・出没機構
前記軸筒２の後端部内部には、出没機構９が設けられる。前記出没機構９は、筆記時、操作部の操作により、筆記体３を前方に移動させ、ペン先５を前端孔２１から外部に突出状態にさせ、非筆記時、筆記体３を後方に移動させ、ペン先５を前端孔２１から軸筒２内部に没入状態にさせるものである。本実施の形態では、前記出没機構９は、回転カムを用いたノック式機構であり、軸筒２内に配置された円筒状のカム本体９１と、該カム本体９１内のカム部と係合し且つ筆記体３後端と当接する回転部材９２と、該回転部材９２と係合し且つ軸筒２後端より突出するノック部９３（操作部）とからなる。前記出没機構９は、ペン先突出操作、ペン先没入操作の両操作が、ノック部９３を前方へ押圧するダブルノック式である。これ以外にも、前記出没機構９は、筆記体３のペン先５を出没させるものであれば、例えば、軸筒２を回転操作する回転式や、軸筒２の側壁の窓孔より突出された操作部を前方に押圧するスライド式等が挙げられる。
【００２３】
・筆記体
前記筆記体３は、前端にペン先５を備えたインキ保溜部材６と、該インキ保溜部材６を内部前部に収容した容器４と、該容器４の内部のインキ保溜部材６の後方に設けたインキタンク４１と、該インキタンク４１内と外気とを連通させる通気路７とからなる。
【００２４】
前記容器４は、前端が開口され且つ後端が閉鎖された有底筒状体である。前記容器４の内部前部にはインキ保溜部材６が挿着される。前記容器４内のインキ保溜部材６の後方には、インキタンク４１が形成される。前記インキタンク４１の内部にはインキが直接、収容される。
【００２５】
前記インキ保溜部材６は、複数の円板状櫛歯６１を有する合成樹脂の射出成形体であり、軸心に軸心孔が貫設され、隣接する各々の櫛歯６１の間に複数のインキ保溜溝が形成され、前記櫛歯６１群の外面に軸方向のインキ誘導スリット（図示せず）が形成され、さらに、前記櫛歯６１群の外面に切り欠き状の空気交替溝（図示せず）が形成される。また、前記軸心孔に、合成樹脂押出成形体または繊維加工体からなるインキ誘導芯６２が挿着される。
【００２６】
前記インキ保溜部材６の前端部には、ボールペンチップからなるペン先５が取り付けられる。前記ペン先５は、前端にボールを回転可能に抱持したチップ本体５１と、該チップ本体５１後部が圧入固着されるペン先保持部材５２とからなる。前記ペン先保持部材５２の内部には、前記インキ誘導芯６２の前端と接続される繊維加工体からなるインキ中継芯５３が収容され、前記チップ本体５１の内部には、前記インキ中継芯５３の前端と接続される合成樹脂押出成形体からなるインキ供給芯５４が収容される。インキタンク４１内のインキは、前記インキ誘導芯６２から、ペン先保持部材５２の内部のインキ中継芯５３に供給され、前記インキ中継芯５３からチップ本体５１内部のインキ供給芯５４に供給され、前記インキ供給芯５４からボールに供給される。
【００２７】
前記ペン先保持部材５２は、容器４の前端開口部７１内面に圧入固着されるとともに、インキ保溜部材６の前端部に取り付けられる。
【００２８】
・通気路
前記通気路７は、容器４内面とインキ保溜部材６の空気交替溝との間に形成されるとともに、前記ペン先保持部材５２内部に形成され、前記ペン先保持部材５２の前端部外面において、開口される。前記通気路７の開口部７１を通して通気路７内及びインキタンク４１内と外気とが連通される。
【００２９】
・ペン先シール部材
軸筒２の内面には、弾性材料よりなるペン先シール部材８がバネ部材８４を介して取り付けられる。前記ペン先シール部材８は、ペン先５と密接可能なペン先シール部と、該ペン先シール部の後方に一体に連設された通気路シール部８６とからなる。前記ペン先シール部材８の後端にはバネ部材８４（具体的には、ねじりコイルバネ）が固定され、前記バネ部材８４によって、ペン先シール部材８が径方向内方に常時付勢される。
【００３０】
ペン先没入時に、バネ部材８４による付勢により、ペンシール部材のペン先シール部８５がペン先５に密接され、ペン先５が密閉されるとともに、ペン先シール部材８の通気路シール部８６が通気路７の開口部７１の開口縁に密接され、通気路７の開口部７１が密閉される（図１参照）。一方、ペン先突出時に、筆記体３の前方移動に伴ってペン先シール部材８が径方向外方に押しやられて、ペン先５とペン先シール部８５との密接が解除されるとともに、通気路７の開口部７１と通気路シール部８６との密接が解除され、通気路７の開口部７１を通して通気路７内及びインキタンク４１内と外気とが連通される（図２参照）。
【００３１】
（第２の実施の形態）
図３及び図４に本発明の第２の実施の形態を示す。
本実施の形態の出没式筆記具１は、軸筒２と、該軸筒２内に前後方向に移動可能に収容される筆記体３とを備える。
【００３２】
・軸筒
前記軸筒２の前端には、前端孔２１が貫設される。前記前端孔２１を通して筆記体３のペン先５が外部に突出可能且つ内部に没入可能に構成される。前記軸筒２の内部には、コイルスプリング１１が収容され、前記コイルスプリング１１により筆記体３が後方に常時付勢される。前記コイルスプリング１１の前端は、軸筒２の内面に形成した前側係止部２３に係止され、一方、コイルスプリング１１の後端は、筆記体３の外面に形成した環状凸部よりなる後側係止部４２に係止される。本実施の形態では、前記軸筒２は、前端孔２１を備え且つ内面に前側係止部２３が形成される前軸２ａと、該前軸２ａの後端部と連結される後軸２ｂとからなる二部材で構成される。本実施の形態では、前軸２ａは後軸２ｂと螺着される。尚、前記軸筒２は一部材で構成してもよい。
【００３３】
・出没機構
前記軸筒２（後軸２ｂ）の後端部内部には、出没機構９が設けられる。前記出没機構９は、筆記時、操作部の操作により、筆記体３を前方に移動させ、ペン先５を前端孔２１から外部に突出状態にさせ、非筆記時、筆記体３を後方に移動させ、ペン先５を前端孔２１から軸筒２内部に没入状態にさせるものである。本実施の形態では、前記出没機構９は、回転カムを用いたノック式機構であり、軸筒２内に配置された円筒状のカム本体９１と、該カム本体９１内のカム部と係合し且つ筆記体３後端と当接する回転部材９２と、該回転部材９２と係合し且つ軸筒２後端より突出するノック部９３（操作部）とからなる。前記出没機構９は、ペン先突出操作、ペン先没入操作の両操作が、ノック部９３を前方へ押圧するダブルノック式である。これ以外にも、前記出没機構９は、筆記体３のペン先５を出没させるものであれば、例えば、軸筒２を回転操作する回転式や、軸筒２の側壁の窓孔より突出された操作部を前方に押圧するスライド式等が挙げられる。
【００３４】
・筆記体
前記筆記体３は、前端にペン先５を備えたインキ保溜部材６と、該インキ保溜部材６を内部前部に収容した容器４と、該容器４の内部のインキ保溜部材６の後方に設けたインキタンク４１と、該インキタンク４１内と外気とを連通させる通気路７とからなる。
【００３５】
前記容器４は、前端が開口され且つ後端が閉鎖された有底筒状体である。前記容器４の内部前部にはインキ保溜部材６が挿着される。前記容器４内のインキ保溜部材６の後方には、インキタンク４１が形成される。前記インキタンク４１の内部にはインキが直接、収容される。
【００３６】
前記インキ保溜部材６は、複数の円板状櫛歯６１を有する合成樹脂の射出成形体であり、軸心に軸心孔が貫設され、隣接する各々の櫛歯６１の間に複数のインキ保溜溝が形成され、前記櫛歯６１群の外面に軸方向のインキ誘導スリット（図示せず）が形成され、さらに、前記櫛歯６１群の外面に切り欠き状の空気交替溝（図示せず）が形成される。また、前記軸心孔に、合成樹脂押出成形体または繊維加工体からなるインキ誘導芯６２が挿着される。
【００３７】
前記インキ保溜部材６の前端部には、ボールペンチップからなるペン先５が取り付けられる。前記ペン先５は、前端にボールを回転可能に抱持したチップ本体５１と、該チップ本体５１後部が圧入固着されるペン先保持部材５２とからなる。前記ペン先保持部材５２の内部には、前記インキ誘導芯６２の前端と接続される繊維加工体からなるインキ中継芯５３が収容され、前記チップ本体５１の内部には、前記インキ中継芯５３の前端と接続される合成樹脂押出成形体からなるインキ供給芯５４が収容される。インキタンク４１内のインキは、前記インキ誘導芯６２から、ペン先保持部材５２の内部のインキ中継芯５３に供給され、前記インキ中継芯５３からチップ本体５１内部のインキ供給芯５４に供給され、前記インキ供給芯５４からボールに供給される。
【００３８】
前記ペン先保持部材５２は、容器４の前端開口部７１内面に圧入固着されるとともに、インキ保溜部材６の前端部に取り付けられる。前記ペン先保持部材５２の外面には後側係止部４２（環状凸部）が形成され、該後側係止部４２の後面が、容器４の前端と当接される。
【００３９】
・通気路
前記通気路７は、容器４内面とインキ保溜部材６の空気交替溝との間に形成される。前記通気路７の前端は、前記容器４の前端部に形成した切り欠きにより径方向外方に開口される。それにより、前記通気路７の開口部７１は、容器４の前端部に位置される。即ち、通気路７の開口部７１は、後側係止部４２より後方の筆記体３の外面において径方向外方に開口される。前記通気路７の開口部７１を通して通気路７内及びインキタンク４１内と外気とが連通される。
【００４０】
・ペン先シール部材
軸筒２（前軸２ａ）の内面には、弾性材料よりなるペン先シール部材８が取り付けられる。前記ペン先シール部材８は、ペン先５と密接可能なシール部８１と、該シール部８１の一端より一体に連設された脚部８２と、該シール部８１の他端より一体に連設された紐状部８３とからなる。前記脚部８２の一端は、軸筒２の内面に固定され、前記脚部８２の他端は、シール部８１の一端に連結される。前記紐状部８３の一端は、筆記体３の外面に固定され、前記紐状部８３の他端は、シール部８１の他端に連結される。前記紐状部８３は、具体的には２本、形成される。
【００４１】
ペン先没入時に、コイルスプリング１１による後方付勢される筆記体３に伴って、紐状部８３が後方に引っ張られ、シール部８１がペン先５に密接され、ペン先５が密閉される（図３参照）。一方、ペン先突出時に、筆記体３の前方移動に伴って紐状部８３が撓み、シール部８１が軸心から外れ、ペン先５が紐状部８３を超えて、前端孔２１より外部に突出される（図４参照）。
【００４２】
・シール体
軸筒２の前部内面（具体的には、後軸２ｂの前端面）には弾性材料からなる環状のシール体２２が固定される。前記シール体２２の前方には、筆記体３の後側係止部４２（環状凸部）が位置している。ペン先没入時、前記環状のシール体２２が、通気路７の開口部７１の開口縁に密接され、通気路７の開口部７１が密閉される（図３参照）。一方、ペン先突出時、前記シール体２２と通気路７の開口部７１の開口縁との密接が解除され、通気路７の開口部７１を通して通気路７内及びインキタンク４１内と外気とが連通可能となる（図４参照）。
【００４３】
（その他）
尚、本発明の前記インキ保溜部材６は、温度変化等によりインキタンク４１の内圧が上昇した場合に、インキタンク４１からの押し出されたインキ（溢出インキ）を毛細管力により一時的に保持し、一方、インキタンク４１の内圧が減少した場合に、インキ保溜部材６内の保持インキを速やかにインキタンク４１内に戻す機能を有する部材であればよく、本実施の形態の他にも、例えば、らせん状や迷路状のインキ保溜溝を有する合成樹脂の成形体、または繊維加工体や連続気泡体等からなる多孔質含浸体等が挙げられる。
【図面の簡単な説明】
【００４４】
【図１】本発明の第１の実施の形態のペン先没入状態を示す縦断面図である。
【図２】図１のペン先突出状態を示す縦断面図である。
【図３】本発明の第２の実施の形態のペン先没入状態を示す縦断面図である。
【図４】図３のペン先突出状態を示す縦断面図である。
【符号の説明】
【００４５】
１  出没式筆記具
１１  コイルスプリング
２  軸筒
２１  前端孔
２２  シール体
２３  前側係止部
２ａ  前軸
２ｂ  後軸
３  筆記体
４  容器
４１  インキタンク
４２  後側係止部（環状凸部）
５  ペン先
５１  チップ本体
５２  ペン先保持部材
５３  インキ中継芯
５４  インキ供給芯
６  インキ保溜部材
６１  櫛歯
６２  インキ誘導芯
７  通気路
７１  開口部
８  ペン先シール部材
８１  シール部
８２  脚部
８３  紐状部
８４  バネ部材
８５  ペン先シール部
８６  通気路シール部
９  出没機構
９１  カム本体
９２  回転部材
９３  ノック部（操作部）
【図１】
2008006662.tif 000003
【図２】
2008006662.tif 000004
【図３】
2008006662.tif 000005
【図４】
2008006662.tif 000006